(57)【要約】  物体距離の変化に応じて、拡大観察（近点観察）が可能であり、小型で十分な観察深度を確保でき、広角の視野角を有し、画面中心から周辺部まで良好に光学収差が補正され、病変の観察および診断がしやすい、高性能な内視鏡用対物光学系を提供する。  内視鏡用対物光学系は、物体側から順に、正の第１レンズ群と、負の第２レンズ群と、正の第３レンズ群と、からのみ構成され、第１レンズ群は、物体側から順に、負の単レンズからなる第１レンズと、負の単レンズからなる第２レンズと、を有し、第２レンズ群は、光軸上を移動することにより合焦および変倍を行ない、第３レンズ群は、接合レンズと、撮像素子または撮像素子上に形成されたカバーガラスに接合されている正の単レンズと、を有する。
2020174561.tif 000002
【特許請求の範囲】
【請求項１】
物体側から順に、正の第１レンズ群と、負の第２レンズ群と、正の第３レンズ群と、からのみ構成され、
前記第１レンズ群は、物体側から順に、負の単レンズからなる第１レンズと、負の単レンズからなる第２レンズと、を有し、
前記第２レンズ群は、光軸上を移動することにより合焦および変倍を行ない、
前記第３レンズ群は、接合レンズと、撮像素子または撮像素子上に形成されたカバーガラスに接合されている正の単レンズと、を有することを特徴とする内視鏡用対物光学系。
【請求項２】
以下の条件式（１）を満たすことを特徴とする請求項１に記載の内視鏡用対物光学系。
−１０≦Ｆｉｍ／Ｆ１２≦−３    （１）
ただし、
Ｆ１２は、前記第１レンズと第２レンズの合成焦点距離、
Ｆｉｍは、前記正の単レンズの焦点距離、
である。
【請求項３】
以下の条件式（２）を満たすことを特徴とする請求項１に記載の内視鏡用対物光学系。
０＜｜ＦＧ３ｖ／Ｆｉｍ｜≦１５      （２）
ただし、
ＦＧ３ｖは、前記第３レンズ群の前記接合レンズの焦点距離、
である。
【請求項４】
以下の条件式（３）を満たすことを特徴とする請求項１に記載の内視鏡用対物光学系。
−２０≦ＦＧ２／Ｆ≦−３      （３）
ただし、
ＦＧ２は、前記第２レンズ群の焦点距離、
Ｆは、遠距離物点合焦時の前記内視鏡用対物光学系全系の焦点距離、
である。
【発明の詳細な説明】
【技術分野】
【０００１】
本発明は、対物光学系に関する。特に、内視鏡用対物光学系（結像光学系）に関するものであり、例えば医療分野や工業分野などで用いられる内視鏡装置に利用できるものである。
【背景技術】
【０００２】
内視鏡は、医療用分野及び工業用分野で広く使用されている装置である。特に医療用分野においては、患者への負担低減や診断精度の向上等の観点から、内視鏡の撮像素子、例えばＣＣＤやＣＭＯＳの小型化と高画素化が進んでいる。【０００３】
これにより、撮像素子の画素ピッチが年々、小さくなってきている。この結果、内視鏡対物用光学系についても、広角化や収差補正等の光学性能を満足させつつ、観察は遠点から近点まで広い観察深度が要求される。【０００４】
そのため、近年ではさらに広範囲の深度で観察できるようなズーム光学系やフォーカス光学系を用いた結像光学系（対物光学系）が提案されている。このような内視鏡のズーム対物光学系の例が、以下の特許文献１、２に開示されている。
【先行技術文献】
【特許文献】
【０００５】
【特許文献１】特許第０５８０２８４７号公報
【特許文献２】特開２００９−２９４４９６号公報
【発明の概要】
【発明が解決しようとする課題】
【０００６】
対物光学系のＦナンバー（Ｆｎｏ）は、光の回折の影響を受けないように、下記の範囲であるのが望ましい。
Ｆｎｏ＜２×Ｐ／１．２２／λ
ここで、Ｐは、撮像素子の画素ピッチである。【０００７】
画素ピッチの小さい撮像素子を有する光学系では、回折による光学性能の劣化が発生してしまう。そこで、光学系のＦナンバーを小さくすることで、回折の影響を受けずにすむ。しかしながら、光学系のＦナンバーを小さくすることによって、観察深度が浅くなってしまう。【０００８】
観察深度が浅い対物光学系に関して、光学系の組立を行った場合、製造ばらつきによって画面周辺における画質劣化の影響が大きくなってしまう。例えば、レンズの偏心によって、画面周辺まで安定して良好な光学性能を得ることは困難である。同じ構成を有する対物光学系にも関わらず、上述した製造ばらつきに起因して、周辺画質が異なる光学系が生じてしまう。周辺画質が劣化すると、画像がぼけてしまうことがある。【０００９】
特に、ズーム対物光学系では、拡大観察時と通常観察時の双方の収差補正等の光学性能を満足させる必要があるため、レンズ枚数は多くなり製造ばらつきによる画面の画質劣化への影響が大きい。医療現場では、観察された病変部に関する画像がぼけてしまうと、術者は、高精細な観察が困難となる。この結果、術者にとって、診断精度が落ちてしまうという問題が生ずる。【００１０】
また、上述の問題を有する対物光学系においてピント調整を行った場合、安定して良好な光学性能を得ることは困難である。例えば、光学系のピント調整をした後に、ピント位置を固定するためには、メカ部材により各構成部材を固定する。このとき、メカ部材を接着剤により固定する必要がある。【００１１】
メカ部材を固定したときに生じる位置ずれや、接着剤の硬化収縮が考えられる。さらには、接着剤を硬化促進させるために、メカ部材を高温環境下においた場合、ピント位置を把持しているメカ部材の熱膨張による位置ずれなども考えられる。【００１２】
すなわち、上述の内視鏡用対物光学系は、小型化によって生じる回折の影響を受けること、製造ばらつきによって光学性能が劣化すること、に起因して観察に適用できないおそれがある。【００１３】
特許文献１、２のズーム対物光学系は、小型ではあるが、Ｆナンバーは大きい光学仕様である。このため、撮像素子の小型化、高画素に伴って画素ピッチが小さい近年の状況において、回折の影響により光学性能が劣化してしまう。また、特許文献１、２のズーム対物光学系は、製造ばらつきの問題も考慮されていないために、良好な観察には適用できない。【００１４】
本発明はこのような問題点に鑑みてなされたものであり、物体距離の変化に応じて、拡大観察（近点観察）が可能であり、小型で十分な観察深度を確保でき、広角の視野角を有し、画面中心から周辺部まで良好に光学収差が補正され、病変の観察および診断がしやすい、高性能な内視鏡用対物光学系を提供することを目的とする。
【課題を解決するための手段】
【００１５】
上述した課題を解決し、目的を達成するために、本発明の少なくとも幾つかの実施形態に係る内視鏡用対物光学系は、物体側から順に、正の第１レンズ群と、負の第２レンズ群と、正の第３レンズ群と、からのみ構成され、第１レンズ群は、物体側から順に、負の単レンズからなる第１レンズと、負の単レンズからなる第２レンズと、を有し、第２レンズ群は、光軸上を移動することにより合焦および変倍を行ない、第３レンズ群は、接合レンズと、撮像素子または撮像素子上に形成されたカバーガラスに接合されている正の単レンズと、を有する。【００１６】
以下、拡大観察状態を、適宜「近点観察状態」という。また、通常観察状態を、適宜「遠距離物点合焦時」という。
【発明の効果】
【００１７】
本発明によれば、物体距離の変化に応じて、拡大観察（近点観察）が可能であり、小型で十分な観察深度を確保でき、広角の視野角を有し、画面中心から周辺部まで良好に光学収差が補正され、病変の観察および診断がしやすい、高性能な内視鏡用対物光学系を提供するを提供できるという効果を奏する。
【図面の簡単な説明】
【００１８】
【図１】（ａ）は実施形態に係る内視鏡用対物光学系の通常観察状態のレンズ断面図である。（ｂ）は実施形態に係る内視鏡用対物光学系の拡大観察状態のレンズ断面図である。
【図２】（ａ）は実施例１に係る内視鏡用対物光学系の通常観察状態のレンズ断面図である。（ｂ）は実施例１に係る内視鏡用対物光学系の拡大観察状態のレンズ断面図である。
【図３】実施例１に係る内視鏡用対物光学系の、（ａ）は通常観察状態における球面収差（ＳＡ）、（ｂ）は通常観察状態における非点収差（ＡＳ）、（ｃ）は通常観察状態における歪曲収差（ＤＴ）、（ｄ）は通常観察状態における倍率色収差（ＣＣ）を示している。  また、（ｅ）は拡大観察状態における球面収差（ＳＡ）、（ｆ）は拡大観察状態における非点収差（ＡＳ）、（ｇ）は拡大観察状態における歪曲収差（ＤＴ）、（ｈ）は拡大観察状態における倍率色収差（ＣＣ）を示している。
【図４】（ａ）は実施例２に係る内視鏡用対物光学系の通常観察状態のレンズ断面図である。（ｂ）は実施例２に係る内視鏡用対物光学系の拡大観察状態のレンズ断面図である。
【図５】実施例２に係る内視鏡用対物光学系の、（ａ）は通常観察状態における球面収差（ＳＡ）、（ｂ）は通常観察状態における非点収差（ＡＳ）、（ｃ）は通常観察状態における歪曲収差（ＤＴ）、（ｄ）は通常観察状態における倍率色収差（ＣＣ）を示している。  また、（ｅ）は拡大観察状態における球面収差（ＳＡ）、（ｆ）は拡大観察状態における非点収差（ＡＳ）、（ｇ）は拡大観察状態における歪曲収差（ＤＴ）、（ｈ）は拡大観察状態における倍率色収差（ＣＣ）を示している。
【図６】（ａ）は実施例３に係る内視鏡用対物光学系の通常観察状態のレンズ断面図である。（ｂ）は実施例３に係る内視鏡用対物光学系の拡大観察状態のレンズ断面図である。
【図７】実施例３に係る内視鏡用対物光学系の、（ａ）は通常観察状態における球面収差（ＳＡ）、（ｂ）は通常観察状態における非点収差（ＡＳ）、（ｃ）は通常観察状態における歪曲収差（ＤＴ）、（ｄ）は通常観察状態における倍率色収差（ＣＣ）を示している。  また、（ｅ）は拡大観察状態における球面収差（ＳＡ）、（ｆ）は拡大観察状態における非点収差（ＡＳ）、（ｇ）は拡大観察状態における歪曲収差（ＤＴ）、（ｈ）は拡大観察状態における倍率色収差（ＣＣ）を示している。
【図８】（ａ）は実施例４に係る内視鏡用対物光学系の通常観察状態のレンズ断面図である。（ｂ）は実施例４に係る内視鏡用対物光学系の拡大観察状態のレンズ断面図である。
【図９】実施例４に係る内視鏡用対物光学系の、（ａ）は通常観察状態における球面収差（ＳＡ）、（ｂ）は通常観察状態における非点収差（ＡＳ）、（ｃ）は通常観察状態における歪曲収差（ＤＴ）、（ｄ）は通常観察状態における倍率色収差（ＣＣ）を示している。  また、（ｅ）は拡大観察状態における球面収差（ＳＡ）、（ｆ）は拡大観察状態における非点収差（ＡＳ）、（ｇ）は拡大観察状態における歪曲収差（ＤＴ）、（ｈ）は拡大観察状態における倍率色収差（ＣＣ）を示している。
【図１０】（ａ）は実施例５に係る内視鏡用対物光学系の通常観察状態のレンズ断面図である。（ｂ）は実施例５に係る内視鏡用対物光学系の拡大観察状態のレンズ断面図である。
【図１１】実施例５に係る内視鏡用対物光学系の、（ａ）は通常観察状態における球面収差（ＳＡ）、（ｂ）は通常観察状態における非点収差（ＡＳ）、（ｃ）は通常観察状態における歪曲収差（ＤＴ）、（ｄ）は通常観察状態における倍率色収差（ＣＣ）を示している。  また、（ｅ）は拡大観察状態における球面収差（ＳＡ）、（ｆ）は拡大観察状態における非点収差（ＡＳ）、（ｇ）は拡大観察状態における歪曲収差（ＤＴ）、（ｈ）は拡大観察状態における倍率色収差（ＣＣ）を示している。
【図１２】（ａ）は実施例６に係る内視鏡用対物光学系の通常観察状態のレンズ断面図である。（ｂ）は実施例６に係る内視鏡用対物光学系の拡大観察状態のレンズ断面図である。
【図１３】実施例６に係る内視鏡用対物光学系の、（ａ）は通常観察状態における球面収差（ＳＡ）、（ｂ）は通常観察状態における非点収差（ＡＳ）、（ｃ）は通常観察状態における歪曲収差（ＤＴ）、（ｄ）は通常観察状態における倍率色収差（ＣＣ）を示している。  また、（ｅ）は拡大観察状態における球面収差（ＳＡ）、（ｆ）は拡大観察状態における非点収差（ＡＳ）、（ｇ）は拡大観察状態における歪曲収差（ＤＴ）、（ｈ）は拡大観察状態における倍率色収差（ＣＣ）を示している。
【図１４】（ａ）は実施例７に係る内視鏡用対物光学系の通常観察状態のレンズ断面図である。（ｂ）は実施例７に係る内視鏡用対物光学系の拡大観察状態のレンズ断面図である。
【図１５】実施例７に係る内視鏡用対物光学系の、（ａ）は通常観察状態における球面収差（ＳＡ）、（ｂ）は通常観察状態における非点収差（ＡＳ）、（ｃ）は通常観察状態における歪曲収差（ＤＴ）、（ｄ）は通常観察状態における倍率色収差（ＣＣ）を示している。  また、（ｅ）は拡大観察状態における球面収差（ＳＡ）、（ｆ）は拡大観察状態における非点収差（ＡＳ）、（ｇ）は拡大観察状態における歪曲収差（ＤＴ）、（ｈ）は拡大観察状態における倍率色収差（ＣＣ）を示している。
【図１６】（ａ）は実施例８に係る内視鏡用対物光学系の通常観察状態のレンズ断面図である。（ｂ）は実施例８に係る内視鏡用対物光学系の拡大観察状態のレンズ断面図である。
【図１７】実施例８に係る内視鏡用対物光学系の、（ａ）は通常観察状態における球面収差（ＳＡ）、（ｂ）は通常観察状態における非点収差（ＡＳ）、（ｃ）は通常観察状態における歪曲収差（ＤＴ）、（ｄ）は通常観察状態における倍率色収差（ＣＣ）を示している。  また、（ｅ）は拡大観察状態における球面収差（ＳＡ）、（ｆ）は拡大観察状態における非点収差（ＡＳ）、（ｇ）は拡大観察状態における歪曲収差（ＤＴ）、（ｈ）は拡大観察状態における倍率色収差（ＣＣ）を示している。
【図１８】（ａ）は実施例９に係る内視鏡用対物光学系の通常観察状態のレンズ断面図である。（ｂ）は実施例９に係る内視鏡用対物光学系の拡大観察状態のレンズ断面図である。
【図１９】実施例９に係る内視鏡用対物光学系の、（ａ）は通常観察状態における球面収差（ＳＡ）、（ｂ）は通常観察状態における非点収差（ＡＳ）、（ｃ）は通常観察状態における歪曲収差（ＤＴ）、（ｄ）は通常観察状態における倍率色収差（ＣＣ）を示している。  また、（ｅ）は拡大観察状態における球面収差（ＳＡ）、（ｆ）は拡大観察状態における非点収差（ＡＳ）、（ｇ）は拡大観察状態における歪曲収差（ＤＴ）、（ｈ）は拡大観察状態における倍率色収差（ＣＣ）を示している。
【図２０】（ａ）は実施例１０に係る内視鏡用対物光学系の通常観察状態のレンズ断面図である。（ｂ）は実施例１０に係る内視鏡用対物光学系の拡大観察状態のレンズ断面図である。
【図２１】実施例１０に係る内視鏡用対物光学系の、（ａ）は通常観察状態における球面収差（ＳＡ）、（ｂ）は通常観察状態における非点収差（ＡＳ）、（ｃ）は通常観察状態における歪曲収差（ＤＴ）、（ｄ）は通常観察状態における倍率色収差（ＣＣ）を示している。  また、（ｅ）は拡大観察状態における球面収差（ＳＡ）、（ｆ）は拡大観察状態における非点収差（ＡＳ）、（ｇ）は拡大観察状態における歪曲収差（ＤＴ）、（ｈ）は拡大観察状態における倍率色収差（ＣＣ）を示している。
【図２２】（ａ）は実施例１１に係る内視鏡用対物光学系の通常観察状態のレンズ断面図である。（ｂ）は実施例１１に係る内視鏡用対物光学系の拡大観察状態のレンズ断面図である。
【図２３】実施例１１に係る内視鏡用対物光学系の、（ａ）は通常観察状態における球面収差（ＳＡ）、（ｂ）は通常観察状態における非点収差（ＡＳ）、（ｃ）は通常観察状態における歪曲収差（ＤＴ）、（ｄ）は通常観察状態における倍率色収差（ＣＣ）を示している。  また、（ｅ）は拡大観察状態における球面収差（ＳＡ）、（ｆ）は拡大観察状態における非点収差（ＡＳ）、（ｇ）は拡大観察状態における歪曲収差（ＤＴ）、（ｈ）は拡大観察状態における倍率色収差（ＣＣ）を示している。
【発明を実施するための形態】
【００１９】
実施例の説明に先立ち、本発明のある態様にかかる実施形態の作用効果を説明する。なお、本実施形態の作用効果を具体的に説明するに際しては、具体的な例を示して説明することになる。しかし、後述する実施例の場合と同様に、それらの例示される態様はあくまでも本発明に含まれる態様のうちの一部に過ぎず、その態様には数多くのバリエーションが存在する。したがって、本発明は例示される態様に限定されるものではない。
【００２０】
以下に、実施形態に係る内視鏡用対物光学系を図面に基づいて詳細に説明する。なお、この実施形態により、この発明が限定されるものではない。
【００２１】
図１（ａ）は実施形態に係る内視鏡用対物光学系の通常観察状態のレンズ断面図である。（ｂ）は実施形態に係る内視鏡用対物光学系の拡大観察状態のレンズ断面図である。
【００２２】
本実施形態は、物体側から順に、正の第１レンズ群Ｇ１と、負の第２レンズ群Ｇ２と、正の第３レンズ群Ｇ３と、からのみ構成され、第１レンズ群Ｇ１は、物体側から順に、負の単レンズからなる第１レンズＬ１と、負の単レンズからなる第２レンズＬ２と、を有し、第２レンズ群Ｇ２は、光軸ＡＸ上を移動することにより合焦および変倍を行ない、第３レンズ群Ｇ３は、接合レンズＣＬと、撮像素子ＩＭＧまたは撮像素子ＩＭＧ上に形成されたカバーガラスＣＧに接合されている正の単レンズＬ１１と、を有する。
【００２３】
本実施形態の内視鏡用対物光学系は、Ｆナンバーが小さく、明るい光学系である。このため、上述したように、一般的には製造ばらつきにより光学性能の劣化が大きくなってしまう。また、最も物体側の第１レンズＬ１は、小型化かつ、広角化のために比較的強い負の屈折力を必要とする。
【００２４】
その場合、製造ばらつきを原因とするレンズの偏心が生ずる。レンズの偏心のため、画像周辺の画質劣化が大きくなってしまう。そこで、第１レンズ群Ｇ１において、第１レンズＬ１の像側に、負の単レンズからなる第２レンズＬ２を配置する。この結果、パワー（屈折力）を分散して、レンズ偏心による周辺画質の劣化を抑えることができる。
【００２５】
さらに、本実施形態において、第３レンズ群Ｇ３は、正の単レンズＬ１１を有する。正の単レンズＬ１１は、撮像素子ＩＭＧに接合されている。または、正の単レンズＬ１１は、撮像素子ＩＭＧ上に形成されたカバーガラスＣＧに接合されている。これにより、内視鏡用対物光学系において、画像周辺性能の収差補正を向上しつつ、製造ばらつきによる観察深度のばらつきも抑えることができる。さらに、小型で、画像周辺まで高精細な画質を有する内視鏡用対物光学系をより安定して提供できる。
【００２６】
上述のような構成により、本実施形態の内視鏡用対物光学系では、Ｆナンバーが明るく、広角であり、小型（細径）で、撮像領域の周辺まで高精細な画質を得ることができ、内視鏡用対物光学系を提供することができる。
【００２７】
また、本実施形態の好ましい態様によれば、ピント位置ずれの感度低減も考慮する必要がある。このため以下の条件式（１）を満足することが好ましい。これにより、画像周辺性能の収差補正を向上しつつ、製造ばらつきによる観察深度のばらつきも抑えることができる。
【００２８】
−１０≦Ｆｉｍ／Ｆ１２≦−３      （１）
ここで、
Ｆ１２は、第１レンズＬ１と第２レンズＬ２の合成焦点距離、
Ｆｉｍは、正の単レンズＬ１１の焦点距離、
である。
【００２９】
条件式（１）は、ＦｉｍとＦ１２の適切な比を規定している。条件式（１）の上限値を上回る場合、非点収差が悪化する。特に、拡大観察時に画面の周辺画質の劣化が大きくなってしまう。条件式（１）の下限値を下回る場合、コマ収差が悪化する、または、ピント位置ずれの感度が大きくなる。このため、小型な光学系で、高精細な画質を得ることができない。
【００３０】
条件式（１）に代えて、以下の条件式（１’）を満足することが好ましい。
−９≦Ｆｉｍ／Ｆ１２≦−３．５      （１’）
【００３１】
これにより、さらに、画像周辺性能の収差補正を向上しつつ、製造ばらつきによる観察深度のばらつきも抑えることができる。
【００３２】
また、本実施形態の好ましい態様によれば、以下の条件式（２）を満足することが好ましい。
【００３３】
０＜｜ＦＧ３ｖ／Ｆｉｍ｜≦１５      （２）
ここで、
ＦＧ３ｖは、第３レンズ群Ｇ３の接合レンズＣＬの焦点距離、
Ｆｉｍは、正の単レンズＬ１１の焦点距離、
である。
【００３４】
条件式（２）は、ＦＧ３ｖとＦｉｍの適切な比を規定している。正の単レンズＬ１１は、第３レンズ群Ｇ３に配置されている。正の単レンズＬ１１は、撮像素子ＩＭＧまたは撮像素子ＩＭＧ上に形成されたカバーガラスＣＧに接合されている。接合レンズＣＬは、色収差の補正のために配置している。そして、正の単レンズＬ１１は、ピント位置ずれの感度を低減するために重要な役割を果たしている。さらに、正の単レンズＬ１１は、第３レンズ群Ｇ３の接合レンズＣＬの周辺光線の高さにも寄与している。
【００３５】
条件式（２）の上限値を上回る場合、倍率色収差が悪化してしまうか、レンズ径が大きくなってしまう。このため、光学系の小型化が難しくなる。また、小型な対物光学系において、高精細な画質を得ることができなくなってしまう。条件式（２）の下限値を下回ることはない。
【００３６】
条件式（２）に代えて、以下の条件式（２’）を満足することが好ましい。
０＜｜ＦＧ３ｖ／Ｆｉｍ｜≦１４      （２’）
【００３７】
これにより、さらに、小型な対物光学系において、高精細な画質を得ることができる。
【００３８】
また、本実施形態の好ましい態様によれば、以下の条件式（３）を満足することが好ましい。
−２０≦ＦＧ２／Ｆ≦−３      （３）
ここで、
ＦＧ２は、第２レンズ群Ｇ２の焦点距離、
Ｆは、遠距離物点合焦時の内視鏡用対物光学系全系の焦点距離、
である。
【００３９】
条件式（３）は、ＦＧ２とＦの適切な比を規定している。高解像な撮像素子に対応した高性能な光学系とするためには、第２レンズ群Ｇ２と、遠距離物点合焦時の内視鏡用対物光学系全系の焦点距離は条件式（３）によって最適化する必要がある。
【００４０】
条件式（３）の上限値を上回る場合、非点収差の発生量が大きくなってしまう。条件式（３）の下限値を下回る場合、像面がオーバーに倒れ、周辺画質低下が著しくなる。このため、小型な光学系で高精細な画質を得ることができなってしまう。
【００４１】
条件式（３）に代えて、以下の条件式（３’）を満足することが好ましい。
−１７≦ＦＧ２／Ｆ≦−３．５      （３’）
【００４２】
これにより、さらに、小型な光学系で高精細な画質を得ることができる。
【００４３】
（実施例１）
実施例１に係る内視鏡用対物光学系について説明する。図２（ａ）は実施例１に係る内視鏡用対物光学系の通常観察状態のレンズ断面図である。図２（ｂ）は実施例１に係る内視鏡用対物光学系の拡大観察状態のレンズ断面図である。
【００４４】
内視鏡用対物光学系は、物体側から順に、正屈折力の第１レンズ群Ｇ１と、負屈折力の第２レンズ群Ｇ２と、正屈折力の第３レンズ群Ｇ３と、からのみ構成される。
【００４５】
第１レンズ群Ｇ１は、物体側より順に、物体側に平面を向けた平凹負レンズＬ１と、両凹負レンズＬ２と、平行平板である赤外カットフィルターＦと、両凸正レンズＬ３と、両凸正レンズＬ４と、像側に凸面を向けた負メニスカスレンズＬ５と、を有する。正レンズＬ４と負メニスカスレンズＬ５は接合されている。
【００４６】
第２レンズ群Ｇ２は、物体側に凸面を向けた負メニスカスレンズＬ６と、物体側に凸面を向けた正メニスカスレンズＬ７と、を有する。負メニスカスレンズＬ６と正メニスカスレンズＬ７とは接合されている。接合レンズは、光軸ＡＸ上を移動することにより合焦及び変倍を行っている。
【００４７】
第１レンズ群Ｇ１と第２レンズ群Ｇ２の間に明るさ絞り（絞り）Ｓが配置されている。明るさ絞りＳは、第２レンズ群Ｇ２と一体となって移動する。
【００４８】
第３レンズ群Ｇ３は、像側に平面を向けた平凸正レンズＬ８と、両凸正レンズＬ９と、両凹負レンズＬ１０と、像側に平面を向けた平凸正レンズＬ１１と、を有する。正レンズＬ９と負レンズＬ１０とは接合され接合レンズＣＬを構成する。
【００４９】
平凸正レンズＬ１１は、撮像素子ＩＭＧ上に形成されたカバーガラスＣＧを介して撮像素子ＩＭＧと接合されている。また、平凸正レンズＬ１１は、撮像素子ＩＭＧと接合してもよい。
【００５０】
図３は、実施例１に係る内視鏡用対物光学系の、（ａ）は通常観察状態における球面収差（ＳＡ）、（ｂ）は通常観察状態における非点収差（ＡＳ)、（ｃ）は通常観察状態における歪曲収差（ＤＴ)、（ｄ）は通常観察状態における倍率色収差（ＣＣ）を示している。
また、（ｅ）は拡大観察状態における球面収差（ＳＡ）、（ｆ）は拡大観察状態における非点収差（ＡＳ)、（ｇ）は拡大観察状態における歪曲収差（ＤＴ)、（ｈ）は拡大観察状態における倍率色収差（ＣＣ）を示している。
【００５１】
本実施例に係る内視鏡用対物光学系は、通常観察状態から拡大観察状態までのＦナンバーの変動は少ない。このため、各状態の光学系にて回折の影響を受けることなく、適切な被写界深度を確保している。
【００５２】
なお、全ての実施例の収差図において、横軸は収差量を表している。球面収差、非点収差及び倍率収差については、収差量の単位はｍｍである。また、歪曲収差については、収差量の単位は％である。また、ＦＩＹは像高で単位はｍｍ、ＦＮＯはＦナンバーである。また、収差曲線の波長の単位はｎｍである。
【００５３】
（実施例２）
実施例２に係る内視鏡用対物光学系について説明する。図４（ａ）は実施例２に係る内視鏡用対物光学系の通常観察状態のレンズ断面図である。図４（ｂ）は実施例２に係る内視鏡用対物光学系の拡大観察状態のレンズ断面図である。
【００５４】
内視鏡用対物光学系は、物体側から順に、正屈折力の第１レンズ群Ｇ１と、負屈折力の第２レンズ群Ｇ２と、正屈折力の第３レンズ群Ｇ３と、からのみ構成される。
【００５５】
第１レンズ群Ｇ１は、物体側より順に、物体側に平面を向けた平凹負レンズＬ１と、物体側に凸面を向けた負メニスカスレンズＬ２と、平行平板である赤外カットフィルターＦと、像側に凸面を向けた正メニスカスレンズＬ３と、両凸正レンズＬ４と、像側に凸面を向けた負メニスカスレンズＬ５と、を有する。正レンズＬ４と負メニスカスレンズＬ５は接合されている。
【００５６】
第２レンズ群Ｇ２は、物体側に凸面を向けた負メニスカスレンズＬ６と、物体側に凸面を向けた正メニスカスレンズＬ７と、を有する。負メニスカスレンズＬ６と正メニスカスレンズＬ７とは接合されている。接合レンズは、光軸ＡＸ上を移動することにより合焦及び変倍を行っている。
【００５７】
第１レンズ群Ｇ１と第２レンズ群Ｇ２の間に明るさ絞り（絞り）Ｓが配置されている。明るさ絞りＳは、第２レンズ群Ｇ２と一体となって移動する。
【００５８】
第３レンズ群Ｇ３は、両凸正レンズＬ８と、両凸正レンズＬ９と、両凹負レンズＬ１０と、像側に平面を向けた平凸正レンズＬ１１と、を有する。正レンズＬ９と負レンズＬ１０とは接合され接合レンズＣＬを構成する。
【００５９】
平凸正レンズＬ１１は、撮像素子ＩＭＧ上に形成されたカバーガラスＣＧを介して撮像素子ＩＭＧと接合されている。また、平凸正レンズＬ１１は、撮像素子ＩＭＧと接合してもよい。
【００６０】
図５は、実施例２に係る内視鏡用対物光学系の、（ａ）は通常観察状態における球面収差（ＳＡ）、（ｂ）は通常観察状態における非点収差（ＡＳ)、（ｃ）は通常観察状態における歪曲収差（ＤＴ)、（ｄ）は通常観察状態における倍率色収差（ＣＣ）を示している。
また、（ｅ）は拡大観察状態における球面収差（ＳＡ）、（ｆ）は拡大観察状態における非点収差（ＡＳ)、（ｇ）は拡大観察状態における歪曲収差（ＤＴ)、（ｈ）は拡大観察状態における倍率色収差（ＣＣ）を示している。
【００６１】
本実施例に係る内視鏡用対物光学系は、通常観察状態から拡大観察状態までのＦナンバーの変動は少ない。このため、各状態の光学系にて回折の影響を受けることなく、適切な被写界深度を確保している。
【００６２】
（実施例３）
実施例３に係る内視鏡用対物光学系について説明する。図６（ａ）は実施例３に係る内視鏡用対物光学系の通常観察状態のレンズ断面図である。図６（ｂ）は実施例３に係る内視鏡用対物光学系の拡大観察状態のレンズ断面図である。
【００６３】
内視鏡用対物光学系は、物体側から順に、正屈折力の第１レンズ群Ｇ１と、負屈折力の第２レンズ群Ｇ２と、正屈折力の第３レンズ群Ｇ３と、からのみ構成される。
【００６４】
第１レンズ群Ｇ１は、物体側より順に、物体側に平面を向けた平凹負レンズＬ１と、両凹負レンズＬ２と、平行平板である赤外カットフィルターＦと、物体側に平面を向けた平凸正レンズＬ３と、両凸正レンズＬ４と、像側に凸面を向けた負メニスカスレンズＬ５と、を有する。正レンズＬ４と負メニスカスレンズＬ５は接合されている。
【００６５】
第２レンズ群Ｇ２は、物体側に凸面を向けた負メニスカスレンズＬ６と、物体側に凸面を向けた正メニスカスレンズＬ７と、を有する。負メニスカスレンズＬ６と正メニスカスレンズＬ７とは接合されている。接合レンズは、光軸ＡＸ上を移動することにより合焦及び変倍を行っている。
【００６６】
第１レンズ群Ｇ１と第２レンズ群Ｇ２の間に明るさ絞り（絞り）Ｓが配置されている。明るさ絞りＳは、第２レンズ群Ｇ２と一体となって移動する。
【００６７】
第３レンズ群Ｇ３は、像側に平面を向けた平凸正レンズＬ８と、両凸正レンズＬ９と、両凹負レンズＬ１０と、像側に平面を向けた平凸正レンズＬ１１と、を有する。正レンズＬ９と負レンズＬ１０とは接合され接合レンズＣＬを構成する。
【００６８】
平凸正レンズＬ１１は、撮像素子ＩＭＧ上に形成されたカバーガラスＣＧを介して撮像素子ＩＭＧと接合されている。また、平凸正レンズＬ１１は、撮像素子ＩＭＧと接合してもよい。
【００６９】
図７は、実施例３に係る内視鏡用対物光学系の、（ａ）は通常観察状態における球面収差（ＳＡ）、（ｂ）は通常観察状態における非点収差（ＡＳ)、（ｃ）は通常観察状態における歪曲収差（ＤＴ)、（ｄ）は通常観察状態における倍率色収差（ＣＣ）を示している。
また、（ｅ）は拡大観察状態における球面収差（ＳＡ）、（ｆ）は拡大観察状態における非点収差（ＡＳ)、（ｇ）は拡大観察状態における歪曲収差（ＤＴ)、（ｈ）は拡大観察状態における倍率色収差（ＣＣ）を示している。
【００７０】
本実施例に係る内視鏡用対物光学系は、通常観察状態から拡大観察状態までのＦナンバーの変動は少ない。このため、各状態の光学系にて回折の影響を受けることなく、適切な被写界深度を確保している。
【００７１】
（実施例４）
実施例４に係る内視鏡用対物光学系について説明する。図８（ａ）は実施例４に係る内視鏡用対物光学系の通常観察状態のレンズ断面図である。図８（ｂ）は実施例４に係る内視鏡用対物光学系の拡大観察状態のレンズ断面図である。
【００７２】
内視鏡用対物光学系は、物体側から順に、正屈折力の第１レンズ群Ｇ１と、負屈折力の第２レンズ群Ｇ２と、正屈折力の第３レンズ群Ｇ３と、からのみ構成される。
【００７３】
第１レンズ群Ｇ１は、物体側より順に、物体側に平面を向けた平凹負レンズＬ１と、物体側に凸面を向けた負メニスカスレンズＬ２と、平行平板である赤外カットフィルターＦと、像側に凸面を向けた正メニスカスレンズＬ３と、両凸正レンズＬ４と、像側に凸面を向けた負メニスカスレンズＬ５と、を有する。正レンズＬ４と負メニスカスレンズＬ５は接合されている。
【００７４】
第２レンズ群Ｇ２は、物体側に凸面を向けた負メニスカスレンズＬ６と、物体側に凸面を向けた負メニスカスレンズＬ７と、を有する。負メニスカスレンズＬ６と負メニスカスレンズＬ７とは接合されている。接合レンズは、光軸ＡＸ上を移動することにより合焦及び変倍を行っている。
【００７５】
第１レンズ群Ｇ１と第２レンズ群Ｇ２の間に明るさ絞り（絞り）Ｓが配置されている。明るさ絞りＳは、第２レンズ群Ｇ２と一体となって移動する。
【００７６】
第３レンズ群Ｇ３は、両凸正レンズＬ８と、両凸正レンズＬ９と、両凹負レンズＬ１０と、像側に平面を向けた平凸正レンズＬ１１と、を有する。正レンズＬ９と負レンズＬ１０とは接合され接合レンズＣＬを構成する。
【００７７】
平凸正レンズＬ１１は、撮像素子ＩＭＧ上に形成されたカバーガラスＣＧを介して撮像素子ＩＭＧと接合されている。また、平凸正レンズＬ１１は、撮像素子ＩＭＧと接合してもよい。
【００７８】
図９は、実施例４に係る内視鏡用対物光学系の、（ａ）は通常観察状態における球面収差（ＳＡ）、（ｂ）は通常観察状態における非点収差（ＡＳ)、（ｃ）は通常観察状態における歪曲収差（ＤＴ)、（ｄ）は通常観察状態における倍率色収差（ＣＣ）を示している。
また、（ｅ）は拡大観察状態における球面収差（ＳＡ）、（ｆ）は拡大観察状態における非点収差（ＡＳ)、（ｇ）は拡大観察状態における歪曲収差（ＤＴ)、（ｈ）は拡大観察状態における倍率色収差（ＣＣ）を示している。
【００７９】
本実施例に係る内視鏡用対物光学系は、通常観察状態から拡大観察状態までのＦナンバーの変動は少ない。このため、各状態の光学系にて回折の影響を受けることなく、適切な被写界深度を確保している。
【００８０】
（実施例５）
実施例５に係る内視鏡用対物光学系について説明する。図１０（ａ）は実施例５に係る内視鏡用対物光学系の通常観察状態のレンズ断面図である。図１０（ｂ）は実施例５に係る内視鏡用対物光学系の拡大観察状態のレンズ断面図である。
【００８１】
内視鏡用対物光学系は、物体側から順に、正屈折力の第１レンズ群Ｇ１と、負屈折力の第２レンズ群Ｇ２と、正屈折力の第３レンズ群Ｇ３と、からのみ構成される。
【００８２】
第１レンズ群Ｇ１は、物体側より順に、物体側に平面を向けた平凹負レンズＬ１と、両凹負レンズＬ２と、平行平板である赤外カットフィルターＦと、両凸正レンズＬ３と、両凸正レンズＬ４と、像側に凸面を向けた負メニスカスレンズＬ５と、を有する。正レンズＬ４と負メニスカスレンズＬ５は接合されている。
【００８３】
第２レンズ群Ｇ２は、物体側に凸面を向けた負メニスカスレンズＬ６と、物体側に凸面を向けた正メニスカスレンズＬ７と、を有する。負メニスカスレンズＬ６と正メニスカスレンズＬ７とは接合されている。接合レンズは、光軸ＡＸ上を移動することにより合焦及び変倍を行っている。
【００８４】
第１レンズ群Ｇ１と第２レンズ群Ｇ２の間に明るさ絞り（絞り）Ｓが配置されている。明るさ絞りＳは、第２レンズ群Ｇ２と一体となって移動する。
【００８５】
第３レンズ群Ｇ３は、像側に平面を向けた平凸正レンズＬ８と、両凸正レンズＬ９と、両凹負レンズＬ１０と、像側に平面を向けた平凸正レンズＬ１１と、を有する。正レンズＬ９と負レンズＬ１０とは接合され接合レンズＣＬを構成する。
【００８６】
平凸正レンズＬ１１は、撮像素子ＩＭＧ上に形成されたカバーガラスＣＧを介して撮像素子ＩＭＧと接合されている。また、平凸正レンズＬ１１は、撮像素子ＩＭＧと接合してもよい。
【００８７】
図１１は、実施例５に係る内視鏡用対物光学系の、（ａ）は通常観察状態における球面収差（ＳＡ）、（ｂ）は通常観察状態における非点収差（ＡＳ)、（ｃ）は通常観察状態における歪曲収差（ＤＴ)、（ｄ）は通常観察状態における倍率色収差（ＣＣ）を示している。
また、（ｅ）は拡大観察状態における球面収差（ＳＡ）、（ｆ）は拡大観察状態における非点収差（ＡＳ)、（ｇ）は拡大観察状態における歪曲収差（ＤＴ)、（ｈ）は拡大観察状態における倍率色収差（ＣＣ）を示している。
【００８８】
本実施例に係る内視鏡用対物光学系は、通常観察状態から拡大観察状態までのＦナンバーの変動は少ない。このため、各状態の光学系にて回折の影響を受けることなく、適切な被写界深度を確保している。
【００８９】
（実施例６）
実施例６に係る内視鏡用対物光学系について説明する。図１２（ａ）は実施例６に係る内視鏡用対物光学系の通常観察状態のレンズ断面図である。図１２（ｂ）は実施例６に係る内視鏡用対物光学系の拡大観察状態のレンズ断面図である。
【００９０】
内視鏡用対物光学系は、物体側から順に、正屈折力の第１レンズ群Ｇ１と、負屈折力の第２レンズ群Ｇ２と、正屈折力の第３レンズ群Ｇ３と、からのみ構成される。
【００９１】
第１レンズ群Ｇ１は、物体側より順に、物体側に平面を向けた平凹負レンズＬ１と、両凹負レンズＬ２と、平行平板である赤外カットフィルターＦと、両凸正レンズＬ３と、両凸正レンズＬ４と、像側に凸面を向けた負メニスカスレンズＬ５と、を有する。正レンズＬ４と負メニスカスレンズＬ５は接合されている。
【００９２】
第２レンズ群Ｇ２は、物体側に凸面を向けた負メニスカスレンズＬ６と、物体側に凸面を向けた正メニスカスレンズＬ７と、を有する。負メニスカスレンズＬ６と正メニスカスレンズＬ７とは接合されている。接合レンズは、光軸ＡＸ上を移動することにより合焦及び変倍を行っている。
【００９３】
第１レンズ群Ｇ１と第２レンズ群Ｇ２の間に明るさ絞り（絞り）Ｓが配置されている。明るさ絞りＳは、第２レンズ群Ｇ２と一体となって移動する。
【００９４】
第３レンズ群Ｇ３は、像側に平面を向けた平凸正レンズＬ８と、両凸正レンズＬ９と、両凹負レンズＬ１０と、像側に平面を向けた平凸正レンズＬ１１と、を有する。正レンズＬ９と負レンズＬ１０とは接合され接合レンズＣＬを構成する。
【００９５】
平凸正レンズＬ１１は、撮像素子ＩＭＧ上に形成されたカバーガラスＣＧを介して撮像素子ＩＭＧと接合されている。また、平凸正レンズＬ１１は、撮像素子ＩＭＧと接合してもよい。
【００９６】
図１３は、実施例６に係る内視鏡用対物光学系の、（ａ）は通常観察状態における球面収差（ＳＡ）、（ｂ）は通常観察状態における非点収差（ＡＳ)、（ｃ）は通常観察状態における歪曲収差（ＤＴ)、（ｄ）は通常観察状態における倍率色収差（ＣＣ）を示している。
また、（ｅ）は拡大観察状態における球面収差（ＳＡ）、（ｆ）は拡大観察状態における非点収差（ＡＳ)、（ｇ）は拡大観察状態における歪曲収差（ＤＴ)、（ｈ）は拡大観察状態における倍率色収差（ＣＣ）を示している。
【００９７】
本実施例に係る内視鏡用対物光学系は、通常観察状態から拡大観察状態までのＦナンバーの変動は少ない。このため、各状態の光学系にて回折の影響を受けることなく、適切な被写界深度を確保している。
【００９８】
（実施例７）
実施例７に係る内視鏡用対物光学系について説明する。図１４（ａ）は実施例７に係る内視鏡用対物光学系の通常観察状態のレンズ断面図である。図１４（ｂ）は実施例７に係る内視鏡用対物光学系の拡大観察状態のレンズ断面図である。
【００９９】
内視鏡用対物光学系は、物体側から順に、正屈折力の第１レンズ群Ｇ１と、負屈折力の第２レンズ群Ｇ２と、正屈折力の第３レンズ群Ｇ３と、からのみ構成される。
【０１００】
第１レンズ群Ｇ１は、物体側より順に、物体側に平面を向けた平凹負レンズＬ１と、両凹負レンズＬ２と、平行平板である赤外カットフィルターＦと、両凸正レンズＬ３と、両凸正レンズＬ４と、像側に凸面を向けた負メニスカスレンズＬ５と、を有する。正レンズＬ４と負メニスカスレンズＬ５は接合されている。
【０１０１】
第２レンズ群Ｇ２は、物体側に凸面を向けた負メニスカスレンズＬ６と、物体側に凸面を向けた正メニスカスレンズＬ７と、を有する。負メニスカスレンズＬ６と正メニスカスレンズＬ７とは接合されている。接合レンズは、光軸ＡＸ上を移動することにより合焦及び変倍を行っている。
【０１０２】
第１レンズ群Ｇ１と第２レンズ群Ｇ２の間に明るさ絞り（絞り）Ｓが配置されている。明るさ絞りＳは、第２レンズ群Ｇ２と一体となって移動する。
【０１０３】
第３レンズ群Ｇ３は、像側に平面を向けた平凸正レンズＬ８と、両凸正レンズＬ９と、両凹負レンズＬ１０と、像側に平面を向けた平凸正レンズＬ１１と、を有する。正レンズＬ９と負レンズＬ１０とは接合され接合レンズＣＬを構成する。
【０１０４】
平凸正レンズＬ１１は、撮像素子ＩＭＧ上に形成されたカバーガラスＣＧを介して撮像素子ＩＭＧと接合されている。また、平凸正レンズＬ１１は、撮像素子ＩＭＧと接合してもよい。
【０１０５】
図１５は、実施例７に係る内視鏡用対物光学系の、（ａ）は通常観察状態における球面収差（ＳＡ）、（ｂ）は通常観察状態における非点収差（ＡＳ)、（ｃ）は通常観察状態における歪曲収差（ＤＴ)、（ｄ）は通常観察状態における倍率色収差（ＣＣ）を示している。
また、（ｅ）は拡大観察状態における球面収差（ＳＡ）、（ｆ）は拡大観察状態における非点収差（ＡＳ)、（ｇ）は拡大観察状態における歪曲収差（ＤＴ)、（ｈ）は拡大観察状態における倍率色収差（ＣＣ）を示している。
【０１０６】
本実施例に係る内視鏡用対物光学系は、通常観察状態から拡大観察状態までのＦナンバーの変動は少ない。このため、各状態の光学系にて回折の影響を受けることなく、適切な被写界深度を確保している。
【０１０７】
（実施例８）
実施例８に係る内視鏡用対物光学系について説明する。図１６（ａ）は実施例８に係る内視鏡用対物光学系の通常観察状態のレンズ断面図である。図１６（ｂ）は実施例８に係る内視鏡用対物光学系の拡大観察状態のレンズ断面図である。
【０１０８】
内視鏡用対物光学系は、物体側から順に、正屈折力の第１レンズ群Ｇ１と、負屈折力の第２レンズ群Ｇ２と、正屈折力の第３レンズ群Ｇ３と、からのみ構成される。
【０１０９】
第１レンズ群Ｇ１は、物体側より順に、物体側に平面を向けた平凹負レンズＬ１と、両凹負レンズＬ２と、平行平板である赤外カットフィルターＦと、物体側に平面を向けた平凸正レンズＬ３と、両凸正レンズＬ４と、像側に凸面を向けた負メニスカスレンズＬ５と、を有する。正レンズＬ４と負メニスカスレンズＬ５は接合されている。
【０１１０】
第２レンズ群Ｇ２は、物体側に凸面を向けた負メニスカスレンズＬ６と、物体側に凸面を向けた正メニスカスレンズＬ７と、を有する。負メニスカスレンズＬ６と正メニスカスレンズＬ７とは接合されている。接合レンズは、光軸ＡＸ上を移動することにより合焦及び変倍を行っている。
【０１１１】
第１レンズ群Ｇ１と第２レンズ群Ｇ２の間に明るさ絞り（絞り）Ｓが配置されている。明るさ絞りＳは、第２レンズ群Ｇ２と一体となって移動する。
【０１１２】
第３レンズ群Ｇ３は、像側に平面を向けた平凸正レンズＬ８と、両凸正レンズＬ９と、両凹負レンズＬ１０と、像側に平面を向けた平凸正レンズＬ１１と、を有する。正レンズＬ９と負レンズＬ１０とは接合され接合レンズＣＬを構成する。
【０１１３】
平凸正レンズＬ１１は、撮像素子ＩＭＧ上に形成されたカバーガラスＣＧを介して撮像素子ＩＭＧと接合されている。また、平凸正レンズＬ１１は、撮像素子ＩＭＧと接合してもよい。
【０１１４】
図１７は、実施例８に係る内視鏡用対物光学系の、（ａ）は通常観察状態における球面収差（ＳＡ）、（ｂ）は通常観察状態における非点収差（ＡＳ)、（ｃ）は通常観察状態における歪曲収差（ＤＴ)、（ｄ）は通常観察状態における倍率色収差（ＣＣ）を示している。
また、（ｅ）は拡大観察状態における球面収差（ＳＡ）、（ｆ）は拡大観察状態における非点収差（ＡＳ)、（ｇ）は拡大観察状態における歪曲収差（ＤＴ)、（ｈ）は拡大観察状態における倍率色収差（ＣＣ）を示している。
【０１１５】
本実施例に係る内視鏡用対物光学系は、通常観察状態から拡大観察状態までのＦナンバーの変動は少ない。このため、各状態の光学系にて回折の影響を受けることなく、適切な被写界深度を確保している。
【０１１６】
（実施例９）
実施例９に係る内視鏡用対物光学系について説明する。図１８（ａ）は実施例９に係る内視鏡用対物光学系の通常観察状態のレンズ断面図である。図１８（ｂ）は実施例９に係る内視鏡用対物光学系の拡大観察状態のレンズ断面図である。
【０１１７】
内視鏡用対物光学系は、物体側から順に、正屈折力の第１レンズ群Ｇ１と、負屈折力の第２レンズ群Ｇ２と、正屈折力の第３レンズ群Ｇ３と、からのみ構成される。
【０１１８】
第１レンズ群Ｇ１は、物体側より順に、物体側に平面を向けた平凹負レンズＬ１と、両凹負レンズＬ２と、平行平板である赤外カットフィルターＦと、物体側に平面を向けた平凸正レンズＬ３と、両凸正レンズＬ４と、像側に凸面を向けた負メニスカスレンズＬ５と、を有する。正レンズＬ４と負メニスカスレンズＬ５は接合されている。
【０１１９】
第２レンズ群Ｇ２は、物体側に凸面を向けた負メニスカスレンズＬ６と、物体側に凸面を向けた正メニスカスレンズＬ７と、を有する。負メニスカスレンズＬ６と正メニスカスレンズＬ７とは接合されている。接合レンズは、光軸ＡＸ上を移動することにより合焦及び変倍を行っている。
【０１２０】
第１レンズ群Ｇ１と第２レンズ群Ｇ２の間に明るさ絞り（絞り）Ｓが配置されている。明るさ絞りＳは、第２レンズ群Ｇ２と一体となって移動する。
【０１２１】
第３レンズ群Ｇ３は、像側に平面を向けた平凸正レンズＬ８と、両凸正レンズＬ９と、両凹負レンズＬ１０と、像側に平面を向けた平凸正レンズＬ１１と、を有する。正レンズＬ９と負レンズＬ１０とは接合され接合レンズＣＬを構成する。
【０１２２】
平凸正レンズＬ１１は、撮像素子ＩＭＧ上に形成されたカバーガラスＣＧを介して撮像素子ＩＭＧと接合されている。また、平凸正レンズＬ１１は、撮像素子ＩＭＧと接合してもよい。
【０１２３】
図１９は、実施例９に係る内視鏡用対物光学系の、（ａ）は通常観察状態における球面収差（ＳＡ）、（ｂ）は通常観察状態における非点収差（ＡＳ)、（ｃ）は通常観察状態における歪曲収差（ＤＴ)、（ｄ）は通常観察状態における倍率色収差（ＣＣ）を示している。
また、（ｅ）は拡大観察状態における球面収差（ＳＡ）、（ｆ）は拡大観察状態における非点収差（ＡＳ)、（ｇ）は拡大観察状態における歪曲収差（ＤＴ)、（ｈ）は拡大観察状態における倍率色収差（ＣＣ）を示している。
【０１２４】
本実施例に係る内視鏡用対物光学系は、通常観察状態から拡大観察状態までのＦナンバーの変動は少ない。このため、各状態の光学系にて回折の影響を受けることなく、適切な被写界深度を確保している。
【０１２５】
（実施例１０）
実施例１０に係る内視鏡用対物光学系について説明する。図２０（ａ）は実施例１０に係る内視鏡用対物光学系の通常観察状態のレンズ断面図である。図２０（ｂ）は実施例１０に係る内視鏡用対物光学系の拡大観察状態のレンズ断面図である。
【０１２６】
内視鏡用対物光学系は、物体側から順に、正屈折力の第１レンズ群Ｇ１と、負屈折力の第２レンズ群Ｇ２と、正屈折力の第３レンズ群Ｇ３と、からのみ構成される。
【０１２７】
第１レンズ群Ｇ１は、物体側より順に、物体側に平面を向けた平凹負レンズＬ１と、両凹負レンズＬ２と、平行平板である赤外カットフィルターＦと、両凸正レンズＬ３と、両凸正レンズＬ４と、像側に凸面を向けた負メニスカスレンズＬ５と、を有する。正レンズＬ４と負メニスカスレンズＬ５は接合されている。
【０１２８】
第２レンズ群Ｇ２は、物体側に凸面を向けた負メニスカスレンズＬ６を有する。負メニスカスレンズＬ６は、光軸ＡＸ上を移動することにより合焦及び変倍を行っている。
【０１２９】
第１レンズ群Ｇ１と第２レンズ群Ｇ２の間に明るさ絞り（絞り）Ｓが配置されている。明るさ絞りＳは、第２レンズ群Ｇ２と一体となって移動する。
【０１３０】
第３レンズ群Ｇ３は、像側に平面を向けた平凸正レンズＬ７と、両凸正レンズＬ８と、両凹負レンズＬ９と、像側に平面を向けた平凸正レンズＬ１０と、を有する。正レンズＬ８と負レンズＬ９とは接合され接合レンズＣＬを構成する。
【０１３１】
平凸正レンズＬ１０は、撮像素子ＩＭＧ上に形成されたカバーガラスＣＧを介して撮像素子ＩＭＧと接合されている。また、平凸正レンズＬ１０は、撮像素子ＩＭＧと接合してもよい。
【０１３２】
図２０は、実施例１０に係る内視鏡用対物光学系の、（ａ）は通常観察状態における球面収差（ＳＡ）、（ｂ）は通常観察状態における非点収差（ＡＳ)、（ｃ）は通常観察状態における歪曲収差（ＤＴ)、（ｄ）は通常観察状態における倍率色収差（ＣＣ）を示している。
また、（ｅ）は拡大観察状態における球面収差（ＳＡ）、（ｆ）は拡大観察状態における非点収差（ＡＳ)、（ｇ）は拡大観察状態における歪曲収差（ＤＴ)、（ｈ）は拡大観察状態における倍率色収差（ＣＣ）を示している。
【０１３３】
本実施例に係る内視鏡用対物光学系は、通常観察状態から拡大観察状態までのＦナンバーの変動は少ない。このため、各状態の光学系にて回折の影響を受けることなく、適切な被写界深度を確保している。
【０１３４】
（実施例１１）
実施例１１に係る内視鏡用対物光学系について説明する。図２２（ａ）は実施例１１に係る内視鏡用対物光学系の通常観察状態のレンズ断面図である。図２２（ｂ）は実施例１１に係る内視鏡用対物光学系の拡大観察状態のレンズ断面図である。
【０１３５】
内視鏡用対物光学系は、物体側から順に、正屈折力の第１レンズ群Ｇ１と、負屈折力の第２レンズ群Ｇ２と、正屈折力の第３レンズ群Ｇ３と、からのみ構成される。
【０１３６】
第１レンズ群Ｇ１は、物体側より順に、物体側に平面を向けた平凹負レンズＬ１と、物体側に平面を向けた平凹負レンズＬ２と、平行平板である赤外カットフィルターＦと、両凸正レンズＬ３と、両凸正レンズＬ４と、を有する。
【０１３７】
第２レンズ群Ｇ２は、物体側に凸面を向けた負メニスカスレンズＬ５を有する。負メニスカスレンズＬ５は、光軸ＡＸ上を移動することにより合焦及び変倍を行っている。
【０１３８】
第１レンズ群Ｇ１と第２レンズ群Ｇ２の間に明るさ絞り（絞り）Ｓが配置されている。明るさ絞りＳは、第２レンズ群Ｇ２と一体となって移動する。
【０１３９】
第３レンズ群Ｇ３は、像側に平面を向けた平凸正レンズＬ６と、両凸正レンズＬ７と、像側に平面を向けた平凹負レンズＬ８と、像側に平面を向けた平凸正レンズＬ９と、を有する。正レンズＬ７と負レンズＬ８とは接合され接合レンズＣＬを構成する。
【０１４０】
平凸正レンズＬ９は、撮像素子ＩＭＧ上に形成されたカバーガラスＣＧを介して撮像素子ＩＭＧと接合されている。また、平凸正レンズＬ９は、撮像素子ＩＭＧと接合してもよい。
【０１４１】
図２３は、実施例１１に係る内視鏡用対物光学系の、（ａ）は通常観察状態における球面収差（ＳＡ）、（ｂ）は通常観察状態における非点収差（ＡＳ)、（ｃ）は通常観察状態における歪曲収差（ＤＴ)、（ｄ）は通常観察状態における倍率色収差（ＣＣ）を示している。
また、（ｅ）は拡大観察状態における球面収差（ＳＡ）、（ｆ）は拡大観察状態における非点収差（ＡＳ)、（ｇ）は拡大観察状態における歪曲収差（ＤＴ)、（ｈ）は拡大観察状態における倍率色収差（ＣＣ）を示している。
【０１４２】
本実施例に係る内視鏡用対物光学系は、通常観察状態から拡大観察状態までのＦナンバーの変動は少ない。このため、各状態の光学系にて回折の影響を受けることなく、適切な被写界深度を確保している。
【０１４３】
以下に、上記各実施例の数値データを示す。面データにおいて、ｒは各レンズ面の曲率半径、ｄは各レンズ面間の間隔、ｎｅは各レンズのｅ線の屈折率、νｄは各レンズのアッベ数、絞りは明るさ絞りである。
【０１４４】
また、各種データにおいて、ＦｎｏはＦナンバー、ωは半画角、視野角（画角）の単位は度である。
【０１４５】
数値実施例１
単位  ｍｍ
面データ
面番号        r            d            ne           νd
1        ∞          0.4103       1.88815       40.76
2       1.5807       0.9595       1       
3      -6.7506       0.3986       1.48915       70.23
4       2.4552       0.3987       1       
5        ∞          0.3987       1.51825       64.14
6        ∞          0.4665       1       
7       4.2026       3.0902       1.58482       40.75
8      -4.2026       0.0478       1       
9       5.2392       1.2756       1.51977       52.43
10      -2.8684       0.3987       1.93429       18.9
11      -5.6916       可変         1       
12(絞り)  ∞          0.0478       1       
13       7.2418       0.4007       1.88815       40.76
14       1.7434       0.7076       1.76859       26.52
15       3.4743       可変         1       
16       3.9768       1.307        1.82017       46.62
17        ∞          0.0704       1       
18       3.74         1.2907       1.64129       55.38
19      -3.74         0.3989       1.93429       18.9
20       8.5597       0.4785       1       
21       3.2435       1.7049       1.51825       64.14
22        ∞          0.0087       1       
23        ∞          0.5582       1.507         63.26
24撮像面  ∞                   
各種データ   
通常観察       拡大観察
焦点距離          1.008          1.137 
Fno               2.951          2.910 
物点距離         25.5            3.5
視野角          160.0          113.2 
d11               0.160          1.236 
d15               1.361          0.284 
【０１４６】
数値実施例２
単位  ｍｍ
面データ
面番号        r            d            ne           νd
1        ∞          0.3987       1.88815       40.76
2       1.4156       1.0345       1       
3      12.0185       0.5582       1.64769       84.25
4       3.5154       0.4553       1       
5        ∞          0.4          1.51825       64.14
6        ∞          0.05              
7     -28.9534       3.0158       1.58482       40.75
8      -2.6236       0.5636       1       
9       2.301        1.1001       1.51977       52.43
10      -3.3297       0.3985       1.93429       18.9
11     -33.9265       可変         1       
12(絞り)  ∞          0.0472       1       
13       6.3112       0.3985       1.88815       40.76
14       1.1558       0.6467       1.76859       26.52
15       2.4274       可変         1       
16       3.0549       1.2716       1.82017       46.62
17     -52.2548       0.0791       1       
18       3.9865       1.4709       1.62033       63.33
19      -2.2768       0.3985       1.93429       18.9
20      34.776        0.4942       1       
21       3.5762       0.6539       1.51825       64.14
22        ∞          0.0087       1       
23        ∞          0.5582       1.507         63.26
24撮像面  ∞                   
各種データ   
通常観察       拡大観察
焦点距離          1.020          1.114 
Fno               2.999          2.981 
物点距離         25.5            3.5
視野角          161.5          120.9 
d11               0.159          0.630 
d15               1.361          0.890 
【０１４７】
数値実施例３
単位  ｍｍ
面データ
面番号        r            d            ne           νd
1        ∞          0.6523       1.88815       40.76
2       1.4402       0.872        1       
3      -5.4488       0.4788       1.48915       70.23
4       3.6531       0.6176       1       
5        ∞          0.4          1.51825       64.14
6        ∞          3.2358       1.58482       40.75
7      -2.9521       0.4639       1       
8       3.0265       1.2863       1.51977       52.43
9      -3.4743       0.3987       1.93429       18.9
10     -19.6376       可変         1       
11(絞り)  ∞          0.0531       1       
12       4.2658       0.3661       1.88815       40.76
13       1.3625       0.6459       1.76859       26.52
14       3.3887       可変         1       
15       4.0036       1.2406       1.82017       46.62
16        ∞          0.0755       1       
17       4.382        1.2376       1.64129       55.38
18      -3.0232       0.3801       1.93429       18.9
19       5.4857       0.4785       1       
20       2.3189       0.9738       1.51825       64.14
21        ∞          0.0087       1       
22        ∞          0.5582       1.507         63.26
23撮像面  ∞          
各種データ   
通常観察       拡大観察
焦点距離          0.984          1.024 
Fno               3.095          2.819 
物点距離         25.5            3.5
視野角          148.4          126.9 
d10               0.160          1.282 
d14               1.361          0.238 
【０１４８】
数値実施例４
単位  ｍｍ
面データ
面番号        r            d            ne           νd
1        ∞          0.3987       1.88815       40.76
2       1.416        1.0358       1       
3      11.0825       0.5582       1.63777       82.75
4       3.5432       0.45         1       
5        ∞          0.4          1.51825       64.14
6        ∞          0.05         1       
7     -34.1587       3.0027       1.58482       40.75
8      -2.6513       0.1411       1       
9       2.3363       1.1008       1.51977       52.43
10      -3.6809       0.4057       1.93429       18.9
11     -15.4446       可変         1       
12(絞り)  ∞          0.0541       1       
13      11.5015       0.395        1.88815       40.76
14       2.2445       0.6557       1.76859       26.52
15       2.201        可変         1       
16       3.0888       1.2656       1.82017       46.62
17     -42.1202       0.0753       1       
18       3.8963       1.4343       1.62033       63.33
19      -2.2881       0.3888       1.93429       18.9
20      49.9145       0.4794       1       
21       3.4695       0.6539       1.51825       64.14
22        ∞          0.0087       1       
23        ∞          0.5582       1.507         63.26
24撮像面  ∞                     
各種データ   
通常観察       拡大観察
焦点距離          1.022          1.100 
Fno               2.948          2.932 
物点距離         25.5            3.5
視野角          160.1          126.2 
d11               0.162          0.479 
d15               1.361          1.042 
【０１４９】
数値実施例５
単位  ｍｍ
面データ
面番号        r            d            ne           νd
1        ∞          0.397        1.88815       40.76
2       1.6109       0.957        1       
3      -6.0655       0.3987       1.48915       70.23
4       2.4966       0.4162       1       
5        ∞          0.3987       1.51825       64.14
6        ∞          0.4841       1       
7       4.2026       3.0664       1.58482       40.75
8      -4.2026       0.0962       1       
9       4.8761       1.6381       1.51977       52.43
10      -2.8857       0.4562       1.93429       18.9
11      -6.2912       可変         1       
12(絞り)  ∞          0.0584       1       
13       7.6009       0.4188       1.88815       40.76
14       1.7478       0.7181       1.76859       26.52
15       3.75         可変         1       
16       3.9497       1.2318       1.82017       46.62
17        ∞          0.0478       1       
18       3.74         1.2954       1.64129       55.38
19      -3.74         0.4803       1.93429       18.9
20       8.4324       0.4175       1       
21       3.2228       1.6216       1.51825       64.14
22        ∞          0.0087       1       
23        ∞          0.5582       1.507         63.26
24撮像面  ∞                      
各種データ   
通常観察       拡大観察
焦点距離          1.006          1.137 
Fno               3.003          2.937 
物点距離         25.5            3.5
視野角          161.3          112.4 
d11               0.016          1.200 
d15               1.361          0.176 
【０１５０】
数値実施例６
単位  ｍｍ
面データ
面番号        r            d            ne           νd
1        ∞          0.504        1.88815       40.76
2       1.5512       0.9856       1       
3      -5.7003       0.4324       1.48915       70.23
4       2.3332       0.3428       1       
5        ∞          0.3987       1.51825       64.14
6        ∞          0.4106       1       
7       3.859        3.0624       1.58482       40.75
8      -3.9012       0.0755       1       
9       4.9809       1.2741       1.51977       52.43
10      -2.8261       0.2437       1.93429       18.9
11      -6.3344       可変         1       
12(絞り)  ∞          0.2041       1       
13       6.7899       0.4542       1.88815       40.76
14       1.7553       0.8036       1.76859       26.52
15       3.5578       可変         1       
16       3.8639       1.3459       1.82017       46.62
17        ∞          0.1088       1       
18       3.4674       1.1962       1.64129       55.38
19      -3.7036       0.3678       1.93429       18.9
20      11.6443       0.5041       1       
21       4.7943       1.3064       1.51825       64.14
22        ∞          0.0087       1       
23        ∞          0.5582       1.507         63.26
24撮像面  ∞                     
各種データ   
通常観察       拡大観察
焦点距離          1.008          1.125 
Fno               2.953          2.867 
物点距離         25.5            3.5
視野角          159.1          113.6 
d11               0.117          1.306 
d15               1.361          0.172 
【０１５１】
数値実施例７
単位  ｍｍ
面データ
面番号        r            d            ne           νd
1        ∞          0.4876       1.88815       40.76
2       1.5559       0.9791       1       
3      -5.8755       0.4234       1.48915       70.23
4       2.3526       0.3595       1       
5        ∞          0.3987       1.51825       64.14
6        ∞          0.4273       1       
7       3.9584       3.0685       1.58482       40.75
8      -3.9962       0.0478       1       
9       4.9984       1.269        1.51977       52.43
10      -2.8943       0.2942       1.93429       18.9
11      -6.2531       可変         1       
12(絞り)  ∞          0.1714       1       
13       6.9467       0.4455       1.88815       40.76
14       1.7559       0.7831       1.76859       26.52
15       3.5315       可変         1       
16       3.8826       1.3402       1.82017       46.62
17        ∞          0.1023       1       
18       3.5359       1.1962       1.64129       55.38
19      -3.7536       0.3927       1.93429       18.9
20      10.7205       0.4976       1       
21       4.3505       1.4172       1.51825       64.14
22        ∞          0.0087       1       
23        ∞          0.5582       1.507         63.26
24撮像面  ∞                      
各種データ   
通常観察       拡大観察
焦点距離         1.007           1.126 
Fno              2.965           2.894 
物点距離        25.5             3.5
視野角         159.6           113.9 
d11              0.128           1.264 
d15              1.361           0.224 
【０１５２】
数値実施例８
単位  ｍｍ
面データ
面番号        r            d            ne           νd
1        ∞          0.4448       1.88815       40.76
2       1.7012       0.9113       1       
3      -3.9611       0.3987       1.48915       70.23
4       3.2026       0.4048       1       
5        ∞          0.4          1.51825       64.14
6        ∞          3.0093       1.58482       40.75
7      -3.3375       1.5111       1       
8       3.9697       1.3121       1.51977       52.43
9      -2.2285       0.6681       1.93429       18.9
10      -4.1055       可変         1       
11(絞り)  ∞          0.0497       1       
12       6.3595       0.3987       1.88815       40.76
13       1.6172       0.6459       1.76859       26.52
14       6.0375       可変         1       
15       4.5824       1.26         1.82017       46.62
16        ∞          0.0326       1       
17       5.7541       1.2376       1.64129       55.38
18      -2.6789       0.3987       1.93429       18.9
19       4.665        0.4785       1       
20       2.0465       0.9065       1.51825       64.14
21        ∞          0.0087       1       
22        ∞          0.5582       1.507         63.26
23撮像面  ∞                    
各種データ   
通常観察       拡大観察
焦点距離          0.961          0.972 
Fno               3.287          2.857 
物点距離         25.5            3.5
視野角          150.3          137.2 
d10               0.026          1.148 
d14               1.361          0.239 
【０１５３】
数値実施例９
単位  ｍｍ 
面データ
面番号        r            d            ne           νd
1        ∞          0.4627       1.88815       40.76
2       1.6479       0.9108       1       
3      -4.2254       0.3828       1.48915       70.23
4       3.3534       0.4402       1       
5        ∞          0.4          1.51825       64.14
6        ∞          3.0268       1.58482       40.75
7      -3.352        1.3954       1       
8       4.2557       1.3123       1.51977       52.43
9      -2.3424       0.611        1.93429       18.9
10      -4.3175       可変         1       
11(絞り)  ∞          0.0605       1       
12       4.8894       0.3987       1.88815       40.76
13       1.5825       0.6459       1.76859       26.52
14       4.1593       可変         1       
15       4.3271       1.2748       1.82017       46.62
16        ∞          0.0478       1       
17       5.3424       1.2376       1.64129       55.38
18      -2.9051       0.3987       1.93429       18.9
19       4.7733       0.4767       1       
20       2.1128       0.9078       1.51825       64.14
21        ∞          0.0087       1       
22        ∞          0.5582       1.507         63.26
23撮像面  ∞                      
各種データ   
通常観察       拡大観察
焦点距離          0.963          0.979 
Fno               3.274          2.892 
物点距離         25.5            3.5
視野角          150.3          135.4 
d10               0.115          1.236 
d14               1.361          0.240 
【０１５４】
数値実施例１０
単位  ｍｍ
面データ
面番号        r            d            ne           νd
1        ∞          0.4348       1.88815       40.76
2       1.6379       1.0228       1       
3      -7.8981       0.4946       1.48915       70.23
4       2.3712       0.3129       1       
5        ∞          0.3987       1.51825       64.14
6        ∞          0.1407       1       
7       5.0509       3.0915       1.58482       40.75
8      -4.2304       0.0752       1       
9       5.7932       1.1231       1.51977       52.43
10      -3.7837       0.2933       1.93429       18.9
11      -5.5006       可変         1       
12(絞り)  ∞          0.4539       1       
13       8.069        1.0535       1.81264       25.42
14       3.2594       可変         1       
15       3.8175       1.3389       1.82017       46.62
16        ∞          0.069        1       
17       3.4774       1.3764       1.64129       55.38
18      -3.3931       0.3966       1.93429       18.9
19      10.9074       0.4785       1       
20       4.6505       1.0939       1.51825       64.14
21        ∞          0.0087       1       
22        ∞          0.5582       1.507         63.26
23撮像面  ∞                       
各種データ   
通常観察       拡大観察
焦点距離          0.999          1.110 
Fno               2.966          2.873 
物点距離         25.5            3.5
視野角          160.0          114.5 
d11               0.016          1.217 
d14               1.361          0.159 
【０１５５】
数値実施例１１
単位  ｍｍ
面データ
面番号        r            d            ne           νd
1        ∞          0.3987       1.88815       40.76
2       1.6305       0.95         1       
3        ∞          0.3987       1.48915       70.23
4       2.9248       0.4983       1       
5        ∞          0.3987       1.51825       64.14
6        ∞          1.0499       1       
7       7.4213       3.7843       1.58482       40.75
8      -5.4039       0.0478       1       
9       6.0038       1.0367       1.76859       26.52
10     -30.5009       可変         1       
11(絞り)  ∞          0.0478       1       
12      15.0985       0.3987       1.81264       25.42
13       2.8365       可変         1       
14       4.3998       1.1962       1.82017       46.62
15        ∞          0.0478       1       
16       6.7551       1.1962       1.64129       55.38
17      -3.6648       1.9139       1.93429       18.9
18        ∞          0.9752       1       
19       3.2681       2.9159       1.51825       64.14
20        ∞          0.0087       1       
21        ∞          0.5582       1.507         63.26
22撮像面  ∞                    
各種データ   
通常観察       拡大観察
焦点距離          1.035          1.192 
Fno               3.390          3.519 
物点距離         25.5            3.5
視野角          149.4          111.2 
d10               0.080          0.763 
d13               1.361          0.677 
【０１５６】
以下、各実施例の条件式対応知を示す。
条件式                実施例1      実施例2      実施例3  
（1）Fim/F12           -6.36        -6.04        -4.44  
（2）FG3ｖ/Fim         13.79        10.12         2.50  
（3）FG2/F             -6.42        -3.74       -12.19 
条件式                実施例4      実施例5      実施例6
（1）Fim/F12           -5.77        -6.28        -9.97
（2）FG3ｖ/Fim          5.88        14.92         2.21
（3）FG2/F             -3.10        -6.84        -7.19
条件式                実施例7      実施例8      実施例9  
（1）Fim/F12           -8.95        -3.79        -3.90    
（2）FG3ｖ/Fim          2.98         1.47         1.65      
（3）FG2/F             -6.93       -19.82       -16.92  
条件式                実施例10     実施例11
（1）Fim/F12           -9.00        -5.19 
（2）FG3ｖ/Fim          2.72         7.73 
（3）FG2/F             -7.47        -4.21 
【０１５７】
なお、上述の内視鏡用対物光学系は、複数の構成を同時に満足してもよい。このようにすることが、良好な内視鏡用対物光学系を得る上で好ましい。また、好ましい構成の組み合わせは任意である。また、各条件式について、より限定した条件式の数値範囲の上限値あるいは下限値のみを限定しても構わない。
【０１５８】
以上、本発明の種々の実施形態について説明したが、本発明は、これらの実施形態のみに限られるものではなく、その趣旨を逸脱しない範囲で、これら実施形態の構成を適宜組合せて構成した実施形態も本発明の範疇となるものである。
【産業上の利用可能性】
【０１５９】
物体距離の変化に応じて、拡大観察（近点観察）が可能であり、小型で十分な観察深度を確保でき、広角の視野角を有し、画面中心から周辺部まで良好に光学収差が補正され、病変の観察および診断がしやすい、高性能な内視鏡用対物光学系に有用である。
【符号の説明】
【０１６０】
Ｇ１  第１レンズ群
Ｇ２  第２レンズ群
Ｇ３  第３レンズ群
Ｌ１−Ｌ１１  レンズ
Ｓ  明るさ絞り（絞り）
ＣＬ  接合レンズ
ＡＸ  光軸
ＣＧ  カバーガラス
Ｆ  赤外カットフィルタ−
ＩＭＧ  撮像素子
Ｉ  撮像面
【図１】
2020174561.tif 000003
【図２】
2020174561.tif 000004
【図３】
2020174561.tif 000005
【図４】
2020174561.tif 000006
【図５】
2020174561.tif 000007
【図６】
2020174561.tif 000008
【図７】
2020174561.tif 000009
【図８】
2020174561.tif 000010
【図９】
2020174561.tif 000011
【図１０】
2020174561.tif 000012
【図１１】
2020174561.tif 000013
【図１２】
2020174561.tif 000014
【図１３】
2020174561.tif 000015
【図１４】
2020174561.tif 000016
【図１５】
2020174561.tif 000017
【図１６】
2020174561.tif 000018
【図１７】
2020174561.tif 000019
【図１８】
2020174561.tif 000020
【図１９】
2020174561.tif 000021
【図２０】
2020174561.tif 000022
【図２１】
2020174561.tif 000023
【図２２】
2020174561.tif 000024
【図２３】
2020174561.tif 000025
【手続補正書】
【提出日】令和3年6月22日(2021.6.22)
【手続補正１】
【補正対象書類名】特許請求の範囲
【補正対象項目名】全文
【補正方法】変更
【補正の内容】
【特許請求の範囲】
【請求項１】
物体側から順に、正の第１レンズ群と、負の第２レンズ群と、正の第３レンズ群と、からのみ構成され、
前記第１レンズ群は、物体側から順に、負の単レンズからなる第１レンズと、負の単レンズからなる第２レンズと、を有し、
前記第２レンズ群は、光軸上を移動することにより合焦および変倍を行ない、
前記第３レンズ群は、接合レンズと、撮像素子または撮像素子上に形成されたカバーガラスに接合されている正の単レンズと、を有し、以下の条件式（１）を満たすことを特徴とする内視鏡用対物光学系。
−１０≦Ｆｉｍ／Ｆ１２≦−６．２８    （１）
ただし、
Ｆ１２は、前記第１レンズと前記第２レンズの合成焦点距離、
Ｆｉｍは、前記正の単レンズの焦点距離、
である。
【請求項２】
以下の条件式（２）を満たすことを特徴とする請求項１に記載の内視鏡用対物光学系。
０＜｜ＦＧ３ｖ／Ｆｉｍ｜≦１５      （２）
ただし、
ＦＧ３ｖは、前記接合レンズの焦点距離、
である。
【請求項３】
以下の条件式（３）を満たすことを特徴とする請求項１に記載の内視鏡用対物光学系。
−２０≦ＦＧ２／Ｆ≦−３      （３）
ただし、
ＦＧ２は、前記第２レンズ群の焦点距離、
Ｆは、遠距離物点合焦時の前記内視鏡用対物光学系全系の焦点距離、
である。
【請求項４】
請求項１に記載の内視鏡用対物光学系を有する内視鏡。
【手続補正２】
【補正対象書類名】明細書
【補正対象項目名】００１４
【補正方法】変更
【補正の内容】
【００１４】
本発明はこのような問題点に鑑みてなされたものであり、物体距離の変化に応じて、拡大観察（近点観察）が可能であり、小型で十分な観察深度を確保でき、広角の視野角を有し、画面中心から周辺部まで良好に光学収差が補正され、病変の観察および診断がしやすい、高性能な内視鏡用対物光学系及び内視鏡を提供することを目的とする。
【手続補正３】
【補正対象書類名】明細書
【補正対象項目名】００１５
【補正方法】変更
【補正の内容】
【００１５】
上述した課題を解決し、目的を達成するために、本発明の少なくとも幾つかの実施形態に係る内視鏡用対物光学系は、物体側から順に、正の第１レンズ群と、負の第２レンズ群と、正の第３レンズ群と、からのみ構成され、第１レンズ群は、物体側から順に、負の単レンズからなる第１レンズと、負の単レンズからなる第２レンズと、を有し、第２レンズ群は、光軸上を移動することにより合焦および変倍を行ない、第３レンズ群は、接合レンズと、撮像素子または撮像素子上に形成されたカバーガラスに接合されている正の単レンズと、を有し、以下の条件式（１）を満たす。
−１０≦Ｆｉｍ／Ｆ１２≦−６．２８    （１）
ただし、
Ｆ１２は、第１レンズと第２レンズの合成焦点距離、
Ｆｉｍは、正の単レンズの焦点距離、である。
また、本発明の少なくとも幾つかの実施形態に係る内視鏡は、上述の内視鏡用対物光学系を有する。
【手続補正４】
【補正対象書類名】明細書
【補正対象項目名】００１７
【補正方法】変更
【補正の内容】
【００１７】
本発明によれば、物体距離の変化に応じて、拡大観察（近点観察）が可能であり、小型で十分な観察深度を確保でき、広角の視野角を有し、画面中心から周辺部まで良好に光学収差が補正され、病変の観察および診断がしやすい、高性能な内視鏡用対物光学系及び内視鏡を提供できるという効果を奏する。
【手続補正５】
【補正対象書類名】明細書
【補正対象項目名】０１５９
【補正方法】変更
【補正の内容】
【０１５９】
物体距離の変化に応じて、拡大観察（近点観察）が可能であり、小型で十分な観察深度を確保でき、広角の視野角を有し、画面中心から周辺部まで良好に光学収差が補正され、病変の観察および診断がしやすい、高性能な内視鏡用対物光学系及び内視鏡に有用である。
【国際調査報告】
2020174561.tif 000026
2020174561.tif 000027
2020174561.tif 000028
2020174561.tif 000029